(57)【要約】【課題】タクシーの運賃をカード決済したときにカードユーザが後日乗車地及び降車地を知ることをできるようにする。【解決手段】乗客（カードのユーザ）がタクシーＴに乗車したときにメーター１０により運賃の計算を開始するとともに現在位置検出装置１６により検出したユーザの乗車地の位置情報をメモリ１７に記憶させ、ユーザがタクシーを降車するときにメーター１０により運賃の計算を終了して運賃を算出するとともに現在位置検出装置１６により検出したユーザの降車地の位置情報をメモリ１７に記憶させ、算出された運賃の情報とともに乗車地の位置情報及び降車地の位置情報とをカード決済端末２０により決済センター３０に送信して決済センター３０の記憶装置３２に記憶させ、請求センター４０は、決済センター３０から運賃の情報とともに乗車地及び降車地の位置情報を取得してカードのユーザに利用明細書により通知する。【選択図】図１
2009025885.tif 000002
【特許請求の範囲】
【請求項１】
タクシーに設置したメーターにより算出される運賃の情報をカード決済端末によりクレジットカード等のカードによりカード決済するための決済センターに送信し、当該運賃の請求をするための請求センターが前記決済センターに送信された運賃の情報を取得して前記運賃を請求するようにしたタクシー運賃カード決済システムにおいて、
前記タクシーにはこのタクシーの位置情報を検出する現在位置検出装置と、
前記現在位置検出装置により検出した位置情報を記憶する記憶装置と、
前記カードのユーザが前記タクシーに乗車したときに前記メーターにより運賃の計算を開始するとともに前記現在位置検出装置により検出した前記ユーザの乗車地の位置情報を前記記憶装置に記憶させる乗車地記憶手段と、
前記ユーザが前記タクシーを降車するときに前記メーターにより運賃の計算を終了して運賃を算出するとともに前記現在位置検出装置により検出した前記ユーザの降車地の位置情報を前記記憶装置に記憶させる降車地記憶手段と、
前記カード決済端末により前記運賃の情報とともに前記乗車地及び前記降車地の位置情報とを前記決済センターに送信する送信手段とを備え、
前記請求センターは、前記決済センターから前記運賃の情報とともに前記乗車地の位置情報及び前記降車地の位置情報を取得して前記ユーザに通知する通知手段とを備えたことを特徴とするタクシー運賃カード決済システム。
【請求項２】
前記乗車地及び前記降車地の位置情報は、住所名または施設名により特定されたことを特徴とする請求項１に記載のタクシー運賃カード決済システム。
【請求項３】
前記タクシーには前記ユーザが降車地に到着する前に少なくとも一つの経由地を経由したときに前記現在位置検出装置により検出した前記ユーザの経由地の位置情報を前記記憶装置に記憶させる経由地記憶手段とをさらに備えて、この経由地の位置情報を前記送信手段により前記決済センターに送信し、
前記請求センターは、前記通知手段により前記運賃情報、前記乗車地及び前記降車地の位置情報に加えて前記経由地の位置情報を取得して前記ユーザに通知するようにしたことを特徴とする請求項１または２に記載のタクシー運賃カード決済システム。
【発明の詳細な説明】
【技術分野】
【０００１】
本発明は、タクシーの運賃をクレジットカード等のカードによりカード決済するタクシー運賃カード決済システムに関する。
【背景技術】
【０００２】
従来、メータにより算出されたタクシーの運賃を決済する方法の一つには、現金やタクシーチケットによる決済方法の他に、タクシー会社が発行したカードやクレジットカード（以下カードと記載する）によりカード決済する方法がある。タクシー運賃をカード決済するときには、タクシーの乗務員は、カード決済端末によりカード情報とともに運賃の情報を決済センターに送信して、決済センターはこの運賃の情報を記憶する。カードのユーザは、このようにカード決済された運賃を、決済センターから運賃の情報を取得したカードの請求センターにより請求されて、銀行等の金融機関から自動振替等により支払っている。また、この請求センターは、カード決済された運賃の情報を利用明細書等に記載してカードのユーザに送付している。
【発明の開示】
【発明が解決しようとする課題】
【０００３】
上記のようにタクシーの運賃をカード決済したときには、請求センターからカードのユーザに送付される利用明細書等の明細欄には、タクシーを利用した日付、運賃及び利用したタクシーの会社名に関する情報が記載されているだけであった。そのために、カードのユーザは、この利用明細書等を見てもタクシーの出発地または到着地がわからなくて不便であった。また、カードのユーザが、この利用明細書等に基づいて確定申告等のような経理処理をするときにタクシーの運賃を交通費等として経費の計上をしようとしても、当該利用明細書等に出発地及び到着地が記載されてないので交通費等として経費の計上することができなかった。そのため、カードのユーザは、タクシーの運賃をカード決済しても、乗務員から別に領収書を発行してもらう必要があって不便であった。よって、本発明は、上記課題を解決するタクシー運賃カード決済システムを提供する目的とする。
【課題を解決するための手段】
【０００４】
本発明は上記課題を解決するため、タクシーに設置したメーターにより算出される運賃の情報をカード決済端末によりクレジットカード等のカードによりカード決済するための決済センターに送信し、運賃の請求をするための請求センターが決済センターに送信された運賃の情報を取得して運賃を請求するようにしたタクシー運賃カード決済システムにおいて、メーターには当該タクシーの位置情報を検出する現在位置検出装置と、現在位置検出装置により検出した位置情報を記憶する記憶装置と、カードのユーザがタクシーに乗車したときにメーターにより運賃の計算を開始するとともに現在位置検出装置により検出したユーザの乗車地の位置情報を記憶装置に記憶させる乗車地記憶手段と、ユーザがタクシーを降車するときにメーターにより運賃の計算を終了して運賃を算出するとともに現在位置検出装置により検出したユーザの降車地の位置情報を記憶装置に記憶させる降車地記憶手段と、カード決済端末により運賃の情報とともに乗車地及び降車地の位置情報を決済センターに送信する送信手段とを備え、請求センターは、決済センターから運賃の情報とともに乗車地及び降車地の位置情報を取得してユーザに通知する通知手段とを備えたことを特徴とするタクシー運賃カード決済システムを提供するものである。
【０００５】
上記のように構成したタクシー運賃カード決済システムによれば、カードのユーザは、請求センターから運賃の情報とともに乗車地の位置情報及び降車地の位置情報を通知されるようになるので、タクシーの乗車後においても乗車地及び降車地を容易に知ることができるようになる。さらに、カードのユーザは、カード決済したタクシーの運賃を交通費等として経費の計上をする際に、通知された乗車地の位置情報及び降車地の位置情報を利用することができるようになって経理処理作業の手間を減らすことができる。
【０００６】
上記のように構成したタクシー運賃カード決済システムにおいては、乗車地及び降車地の位置情報は、住所名または施設名により特定されるようにするのが好ましく、このようにしたときには、簡単に乗車地及び降車地を特定することができる。
【０００７】
上記のように構成したタクシー運賃カード決済システムにおいては、ユーザが降車地に到着する前に経由した少なくとも一つの経由地を現在位置検出装置により検出して前記乗客の経由地の位置情報を記憶装置に記憶させる経由地記憶手段とをさらに備えて送信手段により経由地の位置情報を決済センターに送信し、請求センターは、通知手段により運賃情報、乗車地及び降車地の位置情報に加えて経由地の位置情報を取得してユーザに通知するようにしてもよく、このようにしたときには、カードのユーザは、乗車後においても乗車地と降車地以外に経由地を容易に知ることができるようになる。また、タクシーの運賃が、経由地を経由することで乗車地と降車地とを結ぶ経路から算出される運賃より高くなっていても、ユーザは、通知される経由地の位置情報により適切な運賃であると知ることができる。
【発明を実施するための最良の形態】
【０００８】
以下、本発明に係るタクシー運賃カード決済システムの一実施形態を図１〜図５を用いて説明する。図１に示すように、タクシー運賃カード決済システムは、主としてメーター１０と、タクシーＴの位置を検出する現在位置検出装置１６と、運賃等を記憶するメモリ１７と、カード決済端末２０とを備えたタクシーＴと、クレジットカードやタクシー会社が発行したカード（以下カードと記載する）の認証とともに運賃の情報を記憶してカード決済をするための決済センター３０と、この決済センター３０に記憶された運賃情報に基づいて当該運賃の請求をする請求センター４０とから構成される。本願において、カード決済とは、カードを介して付与される信用によりタクシーの運賃等をクレジットカードやタクシー会社が発行するカードで支払い、このカードで支払った運賃等の情報を決済センターに記憶し、運賃を後日請求センターからカードのユーザに請求して、例えばユーザの登録した金融機関から自動引落等で支払うようにしたことをいう。なお、カードには、カードのユーザを特定するための情報としてカード番号等のカード情報が磁気情報により記録されている。
【０００９】
図１に示すように、メーター１０は、計測される乗車時間と乗車距離に基づいて主として運賃を算出するものであり、図１に示すように、運賃の演算処理をするマイクロコンピュータ１１に接続された入力装置１２と、表示装置１３と、走行センサ１４と、タイマ１５とを備えている。
【００１０】
入力装置１２は、メーター１０の前面パネルに設けられた入力ボタン等であり、運賃の計測を開始する賃走ボタン、運賃の計測を終了する支払ボタン、経由地に着いたことを入力する経由地ボタン、再度乗客を乗車させるための空車ボタン等から構成される。入力装置１２は、各ボタンによる入力される命令をマイクロコンピュータ１１に出力する。表示装置１３は液晶ディスプレイ等であり、運賃の情報等を表示するものである。走行センサ１４は、車輪に設けられていて運賃を算出するために走行距離を測定するためのものであり、計測される走行距離のデータをマイクロコンピュータ１１に出力する。タイマ１５は、運賃を算出するために乗車時間を測定するためのものであり、計測される乗車時間のデータをマイクロコンピュータ１１に出力する。
【００１１】
図１に示すように、タクシーＴには、同タクシーＴの現在位置を検出する現在位置検出装置１６と、現在位置検出装置１６により検出した位置情報及びメーター１０により算出された運賃情報を記憶するメモリ１７とが設けられている。現在位置検出装置１６は、全地球測位システム（ＧＰＳ：Ｇｌｏｂａｌ  Ｐｏｓｉｔｉｏｎｉｎｇ  Ｓｙｓｙｔｅｍ）等の全方位測位システムから側位用のデータを受信するＧＰＳ受信機であり、当該ＧＰＳ受信機を設置したタクシーＴの位置情報は経度と緯度により特定される。なお、現在位置検出装置１６は、メーター１０のマイクロコンピュータ１１に接続されている。
【００１２】
メモリ１７は、フラッシュメモリ等の記憶媒体であり、マイクロコンピュータ１１と現在位置検出装置１６とに接続されていて、マイクロコンピュータ１１により算出される運賃の情報と、現在位置検出装置１６により出力されるタクシーＴの位置情報とを一時的に記憶する。
【００１３】
図１に示すように、タクシーＴには、決済センター３０と通信して運賃をカード決済するためのカード決済端末２０が設けられている。カード決済端末２０は、カード決済処理をするためのマイクロコンピュータ２１に接続されたカードリーダ２２と、通信装置２３とを備えている。カードリーダ２２は、カードの磁気部分からカード情報を読みとってマイクロコンピュータ２１に出力するものである。通信装置２３は、例えばデジタル無線機であり、決済センター３０と通信するものである。なお、マイクロコンピュータ２１は、運賃情報及び各種位置情報を記憶するメモリ１７に接続されている。カード決済端末２０は、マイクロコンピュータ２１が、カードリーダ２２により読みとられて出力されるカード情報と、メモリ１７から出力される運賃情報及び各種位置情報とを通信装置２３により決済センター３０に送信するようになっている。
【００１４】
決済センター３０は、カード決済端末２０から送信されるカード情報に基づいてカードが使用可能であるか否かの認証をし、カード決済端末２０から送信される運賃情報及び各種位置情報を記憶をするためのものである。決済センター３０は、図１に示すように、サーバコンピュータ３１に接続された記憶装置３２と、通信装置３３とを備えている。
【００１５】
サーバコンピュータ３１は、図３に示すフローチャートに従って、受信するカード情報に基づきカードを認証してその使用可否を判定し、カード決済端末２０から送信される運賃情報等を記憶させるものである。記憶装置３２は、周知のハードディスクであり、この記憶装置３２には、カードに関する情報として、カード番号、カードユーザ名、利用限度額情報等の認証カード情報がサーバコンピュータ３１から読み出し可能に記憶されている。また、記憶装置３２は、カード決済端末２０から送信されるタクシーＴの運賃情報及び各位置情報を一時的に記憶可能となっている。通信装置３３は、カード決済端末２０及び請求センター４０と通信するものである。
【００１６】
請求センター４０は、決済センター３０に記憶された運賃を請求するためのものであり、図１に示すように、サーバコンピュータ４１に接続された記憶装置４２と、通信装置４３と、出力装置４４とを備えている。サーバコンピュータ４１は、図４に示すフローチャートに従って、決済センター３０に記憶された運賃情報等を取得してカードのユーザに利用明細書により通知するとともに、ユーザの登録した金融機関からカードの料金を引き落とし等で精算させる。記憶装置４２は、周知のハードディスクであり、記憶装置４２には、緯度及び経度から住所名または施設名が特定される地図情報が読み出し可能に記憶されている。また、記憶装置４２は、決済センター３０から取得した運賃情報等を一時的に記憶可能となっている。通信装置４３は、決済センター３０と通信するものである。出力装置４４は、周知のプリンターであり、運賃情報等のカード利用履歴を利用明細書等に印字等して出力するものである。
【００１７】
上記のよう構成したタクシー運賃カード決済システムによるタクシーの運賃のカード決済について説明する。まず、タクシーＴにおいては、メーター１０のマイクロコンピュータ１１が、図２のフローチャートに従ってプログラムを実行するとともに、カード決済端末２０のマイクロコンピュータ２１が図３のフローチャートに従ってプログラムを実行する。また、決済センター３０では、サーバコンピュータ３１が、図４のフローチャートに従ってプログラムを実行しており、請求センター４０では、サーバコンピュータ４１が、図５に示すフローチャートに従ってプログラムを実行している。
【００１８】
メーター１０のプログラムを実行すると、マイクロコンピュータ１１は、ステップ１０１にて、入力装置１２の賃走ボタンがＯＮと入力されて運賃の計算を開始するか否かの判定を繰り返し実行する。乗客がタクシーＴに乗車して乗務員が入力装置１２の賃走ボタンを押すと、マイクロコンピュータ１１は、ステップ１０１にてＹＥＳと判定してステップ１０２へ進める。ステップ１０２においては、マイクロコンピュータ１１は、現在位置検出装置１６から乗客の乗車地の位置情報を受信してこれをメモリ１７に記憶させる（乗車地記憶手段）。また、この乗車地の位置情報には、乗客が乗車した時間として乗車地の位置情報を取得した時刻情報が含まれている。
【００１９】
ステップ１０２の処理後、マイクロコンピュータ１１は、ステップ１０３にて、運賃の計算を開始してステップ１０４に進める。なお、この運賃は、走行センサ１４により計測される走行距離とタイマ１５により計測される乗車時間に基づいて算出される。ステップ１０４においては、マイクロコンピュータ１１は、入力装置１２の経由地ボタンが押されたか否かを判定し、経由地ボタンがＯＮと入力されていなければＮＯと判定してステップ１０５に進める。ステップ１０５においては、マイクロコンピュータ１１は、入力装置１２の支払ボタンがＯＮと入力されたか否かを判定し、支払ボタンが押されていなければＮＯと判定してステップ１０４に戻してステップ１０４及び１０５の処理を繰り返し実行する。
【００２０】
上記ステップ１０４及び１０５の処理を繰り返し実行中、タクシーＴが経由地に到着して一時的に停車して乗務員が入力装置１２の経由地ボタンを押すと、マイクロコンピュータ１１は、ステップ１０４にて、ＹＥＳと判定してステップ１０６に進める。ステップ１０６においては、マイクロコンピュータ１１は、現在位置検出装置１６から乗客の経由地の位置情報を受信してこれをメモリ１７に記憶させてステップ１０５に進める（経由地記憶手段）。なお、この経由地の位置情報には、乗客が経由地に到着した時間として経由地の位置情報を取得した時刻情報が含まれている。
【００２１】
タクシーＴが乗客の目的地に到着して乗務員が入力装置１２の支払ボタンを押すと、マイクロコンピュータ１１は、ステップ１０５にて、ＹＥＳと判定してステップ１０７に進める。ステップ１０７においては、マイクロコンピュータ１１は、運賃の計算を終了してこの運賃の情報（以下、運賃情報と記す）をメモリ１７に記憶させる。ステップ１０７の処理後、マイクロコンピュータ１１は、ステップ１０８にて、現在位置検出装置１６から乗客の降車地の位置情報を受信してこれをメモリ１７に記憶させてステップ１０９に進める（降車地記憶手段）。また、この降車地の位置情報には、乗客が降車時間として降車地の位置情報を取得した時刻情報が含まれている。
【００２２】
カード決済端末２０では、図３に示すステップ２０１にて、マイクロコンピュータ２１が、カードリーダ２２にカードが通されたか否かの判定を繰り返し実行中に、乗務員が乗客に支払方法を確認して乗客が運賃をカード決済により支払うときには、乗務員がカードリーダ２２にカードを通してマイクロコンピュータ２１にカード情報が入力されると、マイクロコンピュータ２１は、ステップ２０１にてＹＥＳと判定してステップ２０２に進める。なお、乗客が運賃を現金またはタクシーチケット等のカード決済以外により支払う場合には、カードリーダ２２にカードを通すことが行われずにステップ２０１が繰り返し実行されることになる。マイクロコンピュータ２１は、ステップ２０２にて、通信装置２３によりカード情報を決済センター３０に送信してステップ２０３に進める。
【００２３】
決済センター３０では、図４に示すステップ３０１にて、サーバコンピュータ３１によりカード情報を受信したか否かの判定を繰り返し実行中に、カード決済端末２０の通信装置２３から送信されたカード情報を通信装置３３にて受信してサーバコンピュータ３１に出力すると、サーバコンピュータ３１は、ステップ３０１にて、ＹＥＳと判定しステップ３０２に進める。ステップ３０２においては、サーバコンピュータ３１は、入力されたカード情報を記憶装置３２に記憶された認証カード情報に照合して、当該カードが有効であればＹＥＳと判定してステップ３０３に進める。ステップ３０３においては、サーバコンピュータ３１は、通信装置３３によりカードが有効であるとの認証結果をカード決済端末２０に送信する。
【００２４】
カード決済端末２０では、図３に示すステップ２０３にて、マイクロコンピュータ２１が、通信装置２３により決済センター３０からカードが有効か否かの認証結果を受信したか否かを繰り返し判定しているなかで、通信装置２３により決済センター３０からのカードの認証結果を受信すると、マイクロコンピュータ２１は、ＹＥＳと判定してステップ２０４に進める。決済センター３０から受信したカードの認証結果に基づいてカードが有効であれば、マイクロコンピュータ２１は、ステップ２０４にてＹＥＳと判定し、ステップ２０５に進める。ステップ２０５においては、マイクロコンピュータ２１は、上記のカード情報とともにメモリ１７に記憶された運賃情報と、乗車地及び降車地の位置情報と、経由地があれば経由地の位置情報とを通信装置２３により決済センター３０に送信して終了する（送信手段）。
【００２５】
決済センター３０では、サーバコンピュータ３１が、図４に示すステップ３０４にて、カード決済端末２０から上記の運賃情報等を受信したか否かの判定を繰り返し実行中に、カード決済端末２０の通信装置２３から送信された運賃情報等を通信装置３３により受信してサーバコンピュータ３１に出力されるとＹＥＳと判定してステップ３０５に進める。ステップ３０５においては、サーバコンピュータ３１は、この受信した運賃情報及び各種位置情報を記憶装置３２に記憶させて終了する。
【００２６】
一方、ステップ３０２にて、サーバコンピュータ３１は、受信したカード情報を記憶装置３２に記憶された認証カード情報に照合して、当該カードが無効であればＮＯと判定してステップ３０６に進める。サーバコンピュータ３１は、ステップ３０６にて、通信装置３３によりカードが無効であることをカード決済端末２０に送信して終了する。
【００２７】
カード決済端末２０では、図３に示すステップ２０３にて、マイクロコンピュータ２１が、通信装置２３により決済センター３０からカードが有効か否かの認証結果を受信したか否かを繰り返し判定しているなかで、通信装置２３により決済センター３０からのカードの認証結果を受信すると、マイクロコンピュータ２１は、ＹＥＳと判定してステップ２０４に進める。決済センター３０から受信したカードの判定結果に基づいてカードが無効であれば、マイクロコンピュータ２１は、ステップ２０４にてＮＯと判定して終了する。この場合には、乗客のカードは使用できないので、乗客はカード決済以外の支払方法として運賃を現金やタクシーチケットにて支払うことになる。
【００２８】
また、メーター１０では、図２に示すステップ１０９にて、マイクロコンピュータ１１が、入力装置１２の空車ボタンがＯＮされたか否かの判定を繰り返し実行中に、カード決済端末２０による運賃情報等の送信がされてカード決済処理されたり、運賃を現金で支払う等して決済が終了することにより乗務員が入力装置１２の空車ボタンを押すと、マイクロコンピュータはＹＥＳと判定してステップ１１０に進める。マイクロコンピュータ１１は、ステップ１１０にて、メモリ１７に記憶されている運賃情報及び各種位置情報を消去して終了する。
【００２９】
上記のように、カードのユーザがタクシーの運賃をカード決済をすると、運賃情報及び各種位置情報のデータが決済センター３０の記憶装置３２に記憶される。請求センター４０では、サーバコンピュータ４１が、図４に示すステップ４０１において、通信装置４３により決済センター３０から所定期間として１日間に記憶された各ユーザのカードにおける運賃情報及び各種位置情報等のデータを受信してステップ４０２に進める。サーバコンピュータ４１は、ステップ４０２にて、受信した運賃情報及び各種位置情報を記憶装置４２に記憶させてステップ４０３に進める。ステップ４０３においては、サーバコンピュータ４１は、経度及び緯度で特定されている乗車地及び降車地の位置情報、経由地があれば経由地の位置情報を記憶装置４２に記憶されている地図情報から住所名または施設名に変換してステップ４０４に進める。なお、変換された位置情報は、例えば、住所名として「○○市△△町××番地」となり、施設名として「○○駅」、「△△公園」となる。
【００３０】
サーバコンピュータ４１は、ステップ４０４において、１月分の運賃情報及び各種位置情報が蓄積したか否かの判定をし、１月分の情報でなければＮＯと判定してステップ４０１から始まる処理を繰り返し実行する。一方、ステップ４０１からステップ４０３の処理を繰り返し実行するなかで、１月分の情報が蓄積したときには、サーバコンピュータ４１は、ステップ４０４にて、ＹＥＳと判定してステップ４０５に進める。
【００３１】
ステップ４０５において、サーバコンピュータ４１は、所定期間として１月間のタクシーの利用に関する情報を出力装置４４によりカードの利用明細書に出力してステップ４０６に進める。ここで、利用明細書には、その一例として、タクシーの利用日、利用したタクシー会社名、運賃の情報、乗車地及び降車地の位置情報、経由地があれば経由地の位置情報が明細欄に記入されている。
【００３２】
ステップ４０６においては、サーバコンピュータ４１は、出力された利用明細書をカードのユーザに送付することで通知し（通知手段）、この運賃の情報に基づき、ユーザが指定した銀行等の金融機関から自動振替等により運賃を精算する。
【００３３】
上記のように構成したタクシー運賃カード決済システムによれば、カードのユーザは、請求センター４０から運賃の情報とともに乗車地及び降車地の位置情報を通知されるようになるので、タクシーＴの乗車後においても乗車地及び降車地を容易に知ることができるようになる。さらに、カードのユーザは、カード決済したタクシーの運賃を交通費等として経費の計上をする際に、通知された乗車地の位置情報及び降車地の位置情報を利用することができるようになって経理処理作業の手間を減らすことができる。
【００３４】
また、上記のように構成したタクシー運賃カード決済システムにおいては、乗車地の位置情報または降車地の位置情報は、住所名または施設名により特定されているので、簡単に乗車地の位置及び降車地の位置を特定することができる。
【００３５】
さらに、上記のように構成したタクシー運賃カード決済システムにおいては、カードのユーザは、乗車後においても乗車地と降車地以外の位置情報として経由地の位置を利用明細書により容易に知ることができるようになる。ユーザは、経由地の位置情報を知ることできることにより、その運賃が乗車地と降車地とを結ぶ経路から算出される運賃よりも高くなっていても適切な運賃であると知ることができるようになる。
【００３６】
上記のように構成したクシー運賃カード決済システムにおいては、利用明細書に現在位置検出装置１６により検出した乗車地、降車地及び経由地があれば経由地の位置情報に含まれる時刻情報を記載するようにしてもよく、このようにしたときには、カードのユーザがより詳細にタクシーの利用履歴を確認することができるようになる。
【００３７】
また、上記のように構成したタクシー運賃カード決済システムにおいては、カードのユーザに対して利用明細書により乗車地、降車地及び経由地があれば経由地の位置情報を通知するようにしているが、本発明はこれに限られるものでなく、カードのユーザが例えばタクシー会社が運営するホームページ等にアクセスしてそのホームページを閲覧させることで通知してもよい。
【図面の簡単な説明】
【００３８】
【図１】本発明に係るタクシー運賃カード決済システムを示すブロック図である。
【図２】メーターにより実行されるプログラムに対応したフローチャートである。
【図３】カード決済端末により実行されるプログラムに対応したフローチャートである。
【図４】決済センターのサーバコンピュータにより実行されるプログラムに対応したフローチャートである。
【図５】請求センターのサーバコンピュータにより実行されるプログラムに対応したフローチャートである。
【符号の説明】
【００３９】
１０…メーター、１６…現在位置検出装置、１７…記憶装置（メモリ）、２０…カード決済端末、３０…決済センター、３０…請求センター、Ｔ…タクシー。
【図１】
2009025885.tif 000003
【図２】
2009025885.tif 000004
【図３】
2009025885.tif 000005
【図４】
2009025885.tif 000006
【図５】
2009025885.tif 000007